(57)【要約】  【課題】デファレンシャルギヤユニットから遊星歯車機構に動力を伝動する伝動軸の太陽歯車側端面と、キャリアをアクスル軸に固定するホルダープレートの端面との間の摩擦を減少させることにより、小型で長寿命のリダクション型アクスル装置を提供する。  【解決手段】軸方向に直接拘束されていない伝動軸(30)の太陽歯車(54)側端面と、伝動軸(30)よりも低速で回転するホルダープレート(60)との間の接触面に、回り止めされたワッシャ(70)を配置した。また、ワッシャ(70)を、少なくともホルダープレート(60)締結用のホールドボルト(90)を含む締結手段の座面に形成されたワッシャ抜け止め面(96)と係合させて脱落を防止する構造とした。これにより、ホルダープレート(60)締結用のホールドボルト(90)を用いて、ワッシャ(70)を保持することができる。  【選択図】図１
2008247055.tif 000002
【特許請求の範囲】
【請求項１】
遊星歯車機構を介して伝動軸とアクスル軸とが連動連結されたリダクション型アクスル装置であって、
前記遊星歯車機構は、前記伝動軸の端部に配設された太陽歯車と、前記太陽歯車に噛合する遊星歯車と、前記遊星歯車を遊転自在に保持するキャリアとを有し、
前記キャリアは、前記アクスル軸にスプライン嵌合され、
前記アクスル軸から前記キャリアの抜け出しを防止するホルダープレートが、少なくともホールドボルトを含む締結手段を介して前記アクスル軸に締結され、
前記ホールドボルトのボルト頭部を収納する軸芯凹部が、前記伝動軸の太陽歯車側端面に形成され、
前記伝動軸の太陽歯車側端面に対峙する前記ホルダープレート端面に、前記ホルダープレート端面の中央部に形成した、前記ホールドボルトを挿通するボルト貫通孔と、前記ボルト貫通孔の外周部に形成した、前記締結手段の当接座面と当接するプレート座面と、前記プレート座面の外周部に形成した、所定の深さを有する環状のプレート凹部と、を有し、
前記締結手段は、前記当接座面と平行で、且つ前記当接座面の外周径よりも大径のワッシャ抜け止め面を有し、
前記プレート凹部内に遊嵌されて回り止めされた環状のワッシャが、前記伝動軸の太陽歯車側端面に対するスラスト滑り軸受部材として配設され、
前記ワッシャは、前記ワッシャ抜け止め面と前記プレート凹部における底部との間でスラスト方向に遊嵌され、前記ワッシャ抜け止め面によって前記プレート凹部から抜け止めされ、且つ前記伝動軸の太陽歯車側端面に対して滑り運動を行う滑り面が、前記伝動軸の太陽歯車側端面における外周よりも常に外側に配される外縁を有してなることを特徴とするリダクション型アクスル装置。
【請求項２】
前記ワッシャの外周部に平面視凸形状の回り止め用係止片が形成され、
前記プレート凹部の平面視外周部には、前記ワッシャの回り止め用係止片と係合する係合凹部が、ホルダープレートの中心に向かって開口した状態で形成されてなることを特徴とする請求項１に記載のリダクション型アクスル装置。
【請求項３】
前記締結手段は、座付きのホールドボルトを有し、
前記座付きのホールドボルトにおける座面が、前記当接座面及び前記ワッシャ抜け止め面を兼ねてなることを特徴とする請求項１又は２に記載のリダクション型アクスル装置。
【請求項４】
前記締結手段は、ホールドボルトと前記ホールドボルトに貫通された座金とを有し、
前記座金が、前記当接座面及び前記ワッシャ抜け止め面を兼ねてなることを特徴とする請求項１又は２に記載のリダクション型アクスル装置。
【請求項５】
前記当接座面と前記ワッシャ抜け止め面とが同一平面上に形成されてなることを特徴とする請求項１〜４のいずれかに記載のリダクション型アクスル装置。
【請求項６】
前記当接座面と前記ワッシャ抜け止め面との間に段差が形成され、前記ワッシャ抜け止  め面が、前記当接座面よりも前記伝動軸側に形成されてなることを特徴とする請求項１  〜３のいずれかに記載のリダクション型アクスル装置。
【請求項７】
前記ワッシャの外周縁に、前記遊星歯車機構の停止時に前記遊星歯車の外周縁との干渉を避けて前記ワッシャを前記プレート凹部内に装着するための逃げ部が形成されてなることを特徴とする請求項１〜６のいずれか１項に記載のリダクション型アクスル装置。
【発明の詳細な説明】
【技術分野】
【０００１】
本発明は、建設車両等のパワートレインに用いられるリダクション型アクスル装置に関する。
【背景技術】
【０００２】
大きな推進用駆動力を必要とする建設車両やフォークリフト等の車両において、デファレンシャルギヤの後段に遊星歯車機構を配置した構成が知られている。
【０００３】
その中で、デファレンシャルギヤユニットと遊星歯車機構とを一つのアクスルハウジング内に収納することにより、コンパクトながら最終減速比を大きく設定したリダクション型アクスル装置が提案されている。この種のリダクション型アクスル装置の入力側には、推進軸の回動運動を差動自在に左右に振り分けて出力するデファレンシャルギヤユニットが設けられている。そして、デファレンシャルギヤユニットから遊星歯車機構に動力を伝動するために、左右一対の伝動軸を用いている。この伝動軸のデファレンシャルギヤユニット側には、デファレンシャルギヤユニットのサイドギヤと嵌合する外周スプラインが形成され、遊星歯車機構側の外周には太陽歯車が形成されており、伝動軸は直接軸方向には拘束されていない構成を用いている。
【０００４】
遊星歯車機構は、前記太陽歯車を軸芯部分に配置し、外周にはリダクション型アクスル装置のハウジングに固定された外輪歯車を配置しており、太陽歯車と外輪歯車との間には、自転及び公転が自在な遊星歯車が配されている。各遊星歯車を回転自在に支承する軸は、太陽歯車の回りを公転可能なキャリアに固定されている。減速後の動力は、キャリアとスプライン嵌合しているアクスル軸に伝達することができ、アクスル軸の回転は駆動輪に伝達されることになる。
【０００５】
前記スプライン嵌合しているアクスル軸からキャリアが抜け出てしまうのを防止するために、アクスル軸の端面には、ホルダープレートを配置している。ホルダープレートは、ホールドボルトを用いてアクスル軸に締結されている（例えば、特許文献１参照。）。
【０００６】
特許文献１に記載されているリダクション型アクスル装置では、デファレンシャルギヤユニットと遊星歯車機構とを一つのアクスルハウジング内に収納するコンパクトな構成を採用している。そのために、デファレンシャルギヤユニットから遊星歯車機構に動力を伝達している一対の伝動軸は、直接スラスト方向に拘束されておらず、左右方向に移動可能な構成となっている。
【０００７】
更に、伝動軸に形成した太陽歯車の側端面とホールドボルトとは互いに隣接して配置されており、それぞれが減速前及び減速後の異なる回転数で相対的に回転している。したがって、伝動軸の太陽歯車側端面とホールドボルトの頭部とが当接すると、互いに擦れ合うことになる。
【０００８】
そこで特許文献１に記載されている発明では、伝動軸とホールドボルトの頭部との干渉を避けるために、ホルダープレートの中央部に、ホールドボルトの頭部を収納する凹部が形成されている。このホルダープレートに形成した凹部にホールドボルトの頭を収納することによって、伝動軸とホールドボルトの頭部との相互の干渉を避けることができる旨の記載がなされている。
【０００９】
しかし、伝動軸に形成した太陽歯車の側端面とホルダープレートとの当接によって、ホルダープレートの回転とアクスル軸の回転とが異なってしまうと、ホールドボルトによるアクスル軸とホルダープレートとの締結が外れてしまったり、回転差に伴う焼き付きが生じてしまうが、これらを防止する対策は講じられていない。
【００１０】
また、太陽歯車側端面と、スラスト方向に拘束されていないキャリアの端面との間における、回転差を伴う接触に起因する焼き付きを防止することのできる機能を備えた上部旋回体用の２段遊星歯車機構が知られている（例えば、特許文献２参照。）。
【００１１】
特許文献２に記載されている２段遊星歯車機構では、鉛直スラスト方向に拘束されている入力側の太陽歯車と、鉛直スラスト方向に拘束されていない２段目キャリアとが自重によって接触する面に、スラスト滑り軸受を配している。
【特許文献１】特開２００５−１７０１６０号公報（図１）
【特許文献２】特開平８−３２４３２３号公報（図４、段落番号［００１９］）
【発明の開示】
【発明が解決しようとする課題】
【００１２】
特許文献１に記載されているリダクション型アクスル装置における一対の伝動軸は、前述のとおりスラスト方向に拘束されておらず左右に移動することが許容されている。そのために、伝動軸の太陽歯車側端面と、対峙する位置に存在するホルダープレートの端面とが接触する状況が発生する。特に、駆動力の大きな建設車両等に用いる伝動軸のように、直径が大きく質量の大きな伝動軸の場合には、慣性力によって接触時の衝撃力や擦れ合う際の摩擦力も大きくなる可能性がある。
【００１３】
一般に、太陽歯車を形成する伝動軸には、クロムモリブデン鋼等の素材に浸炭焼き入れ処理を行った材料を用いることから、対峙するホルダープレートと接触することにより、かじり痕や磨耗を生じたりする可能性が高い。アクスル装置内部で硬質の磨耗粉等が発生すると、減速機の歯面や軸受、差動制限機構、ブレーキ機構、及び各摺動面に悪影響を及ぼし、アクスル装置における異音発生や寿命の低下等の不具合を誘発する可能性がある。
【００１４】
また、従来の構成のまま、伝動軸の太陽歯車側端面とホルダープレートとの間における摩耗を減少させようとすると、太陽歯車側端面の直径を大きく設定して、ホルダープレートとの間における接触面積を増大させることで、接触面における面圧を低下させた構成としておくことが必要となる。更に、太陽歯車の側端面とホルダープレートとの接触面における表面粗さをなめらかに仕上げしておき、かじりや摩耗を減らす必要がある。そして、かじりや摩耗を減らすためには、表面にリン酸マンガン処理等の表面処理を行う必要があった。
【００１５】
このように、太陽歯車の側端面における直径を大きく形成しておくことにより、伝動軸における太陽歯車の側端面とホルダープレートの端面との間におけるかじりや摩耗の発生を防止することは可能である。しかし、リダクション型アクスル装置が大型になってしまうという不具合を生じてしまう。また、太陽歯車の側端面とホルダープレートとの接触面に対して表面処理を施しておくことになると、リダクション型アクスル装置のコストが高くなってしまう。
【００１６】
また、特許文献２に記載されている上部旋回体用の減速機では、入力側の太陽歯車と、２段目キャリアとの間の接触面にスラスト滑り軸受を配しているが、スラスト滑り軸受には回り止め構造が採用されていない。このため、キャリアにおける奥側の端面とスラスト滑り軸受との間で滑り運動を生じてしまう可能性がある。特に、キャリアにおける奥側の端面は、表面粗さを整えるために研削加工や研磨加工等の仕上げ加工を施しておくことが困難な場所である。このため、スラスト滑り軸受との間で良好な滑り状態を確保しておくことは困難なものとなっている。
【００１７】
また、キャリアにおける奥側の端面とスラスト滑り軸受との間に形成できる接触面としては、スラスト滑り軸受外周における僅かな円環状の部分においてでしか接触面を確保することができない。このため接触面積を大きく取ることができず、お互いが接触している部分の面圧が高くなり、良好な滑り状態を確保することが困難となる。したがって、キャリアと滑り軸受との間でかじりや摩耗の発生が生ずる可能性が高くなっている。
【００１８】
本発明は上述したような不具合を解決するためになされたものであり、デファレンシャルギヤユニットから遊星歯車機構に対して動力を伝動する伝動軸の太陽歯車側端面と、キャリアをアクスル軸に固定するホルダープレートの端面との間で接触することによって生じる摩擦力を減少させることができ、太陽歯車側端面のかじりや摩耗を減少させて、小型で長寿命なリダクション型アクスル装置を提供することを目的としている。
【課題を解決するための手段】
【００１９】
前述の目的を達成すべく本発明は、遊星歯車機構を介して伝動軸とアクスル軸とが連動連結されたリダクション型アクスル装置であって、前記遊星歯車機構は、前記伝動軸の端部に配設された太陽歯車と、前記太陽歯車に噛合する遊星歯車と、前記遊星歯車を遊転自在に保持するキャリアとを有し、前記キャリアは、前記アクスル軸にスプライン嵌合され、前記アクスル軸から前記キャリアの抜け出しを防止するホルダープレートが、少なくともホールドボルトを含む締結手段を介して前記アクスル軸に締結され、前記ホールドボルトのボルト頭部を収納する軸芯凹部が、前記伝動軸の太陽歯車側端面に形成され、前記伝動軸の太陽歯車側端面に対峙する前記ホルダープレート端面に、前記ホルダープレート端面の中央部に形成した、前記ホールドボルトを挿通するボルト貫通孔と、前記ボルト貫通孔の外周部に形成した、前記締結手段の当接座面と当接するプレート座面と、前記プレート座面の外周部に形成した、所定の深さを有する環状のプレート凹部と、を有し、前記締結手段は、前記当接座面と平行で、且つ前記当接座面の外周径よりも大径のワッシャ抜け止め面を有し、前記プレート凹部内に遊嵌されて回り止めされた環状のワッシャが、前記伝動軸の太陽歯車側端面に対するスラスト滑り軸受部材として配設され、前記ワッシャは、前記ワッシャ抜け止め面と前記プレート凹部における底部との間でスラスト方向に遊嵌され、前記ワッシャ抜け止め面によって前記プレート凹部から抜け止めされ、且つ前記伝動軸の太陽歯車側端面に対して滑り運動を行う滑り面が、前記伝動軸の太陽歯車側端面における外周よりも常に外側に配される外縁を有してなることを特徴としている。
【００２０】
また、本発明の好ましい態様として、前記ワッシャの外周部に平面視凸形状の回り止め用係止片を形成し、前記プレート凹部の平面視外周部に、前記ワッシャの回り止め用係止片と係合する係合凹部をホルダープレートの中心に向かって開口した状態で形成することができる。
【００２１】
また、前記締結手段は、座付きのホールドボルトを有し、前記座付きのホールドボルトにおける座面が、前記当接座面及び前記ワッシャ抜け止め面を兼ねるように形成することができる。
【００２２】
また、前記締結手段は、ホールドボルトと前記ホールドボルトに貫通された座金とを有し、前記座金が、前記当接座面及び前記ワッシャ抜け止め面を兼ねるように形成することができる。
【００２３】
また、前記当接座面と前記ワッシャ抜け止め面とを同一平面上に形成することもできる  し、前記当接座面と前記ワッシャ抜け止め面との間に段差を形成して、前記ワッシャ抜  け止め面を前記当接座面よりも前記伝動軸側に形成することもできる。
【００２４】
また、前記ワッシャの外周縁に、前記遊星歯車機構の停止時に前記遊星歯車の外周縁との干渉を避けて前記ワッシャを前記プレート凹部内に装着するための逃げ部を形成することが好ましい。
【発明の効果】
【００２５】
本発明に係るリダクション型アクスル装置では、軸方向に直接拘束されていない伝動軸の太陽歯車側端面と、伝動軸よりも低速で回転するホルダープレートとの接触面に、太陽歯車側端面の外周よりも外側に配される外縁を有するワッシャを配置している。伝動軸の太陽歯車側端面とホルダープレートとの間にワッシャを配置したことにより、伝動軸の太陽歯車側端面を小径に形成することが可能となる。
【００２６】
しかも、伝動軸とアクスル軸との間で発生する摩擦力を低減させるとともに、伝動軸の太陽歯車側端面とホルダープレートとの間におけるかじりの発生や、磨耗、損傷を防止することができる。ワッシャとしては、例えば、クロムモリブデン鋼等の素材に浸炭焼き入れ処理を行った伝動軸との間で発生する、かじりや、磨耗、損傷を低減可能な銅合金等を用いて構成しておくことができる。このように構成することによって、リダクション型アクスル装置の長寿命化を図ることができる。
【００２７】
更に、ワッシャの外周部に平面視凸形状の回り止め用係止片を形成するとともに、プレート凹部における平面視外周部に中心に向かって開口する形状の係合凹部を形成して、ワッシャの回り止め用係止片と係合凹部とを係合させることで、ワッシャの回り止めを行わせることができる。これによって、ホルダープレートとワッシャとが相対的に回動しないように構成しておくことができる。
【００２８】
この場合には、表面の表面粗さを規定した伝動軸における太陽歯車の側端面と、ワッシャの滑り面との間において滑り運動が行われるように規制しておくことができる。これにより、ワッシャの裏面を形成しているリテーナ面と、表面粗さが粗くなりがちなプレート凹部の底との間における滑り運動が防止され、ワッシャのリテーナ面と、プレート凹部の底面との間において磨耗、損傷が発生しまうといった不具合を防止できる。
【００２９】
また、ホルダープレート締結用に座付きのホールドボルトを用いることもできる。座付きのホールドボルトにおける座面を用いて、ホルダープレート締結用の当接座面及びワッシャ抜け止め面を兼用させておくことができる。これにより、ワッシャは、ワッシャ抜け止め面に係合することになり、ワッシャの脱落を防止できる。しかも、ワッシャ専用に特段の固定具を設けることなく、既存の固定具を用いて座付きのホールドボルトでワッシャの抜け止めを行いながらホルダープレートをアクスル軸に固定することができる。これにより、部品点数の増加を抑え、寿命の長いコンパクトなリダクション型アクスル装置を提供することが可能となる。
【００３０】
また、前記ホールドボルトに貫通された座金を用いて、ホルダープレート締結用の当接座面及びワッシャ抜け止め面の機能を前記座金に持たせておくこともできる。これにより、標準のホールドボルトを用いて、ワッシャの抜け止めを行いながらホルダープレートをアクスル軸に固定することが可能となる。このようにすることで、価格の上昇を抑え、寿命の長いコンパクトなリダクション型アクスル装置を提供することが可能となる。
【００３１】
また、ホールドボルト又は座金における、ホルダープレート締結用の当接座面とワッシャ抜け止め面との間に段差を形成し、ワッシャ抜け止め面を当接座面よりも伝動軸側に形成しておくことができる。このように構成しておくことにより、ホールドボルトを用いてホルダープレートとアクスル軸とを強固に締結させることができるとともに、ワッシャをスラスト方向に遊嵌させた状態で保持しておくことができる。
【００３２】
また、遊星歯車機構における遊星歯車の外周縁又はキャリアとの干渉を避けるための逃げ部を、ワッシャの外周縁に形成しておくこともできる。このように構成しておくことにより、遊星歯車機構の停止時には、遊星歯車との干渉を避けながら、ワッシャをプレート凹部内に装着することが容易となる。
【００３３】
したがって、遊星歯車機構を構成している外輪歯車と遊星歯車とを組み立てた後においても、ワッシャの装着が可能となる。また、リダクション型アクスル装置の補修時においては、遊星歯車機構の外輪歯車と遊星歯車とを分解することなく、ワッシャの取り外し及び取り付けが可能となる。したがって、リダクション型アクスル装置の組立、整備に必要な工数を削減することが可能となり、組立性及び整備性が向上する。
【発明を実施するための最良の形態】
【００３４】
以下、伝動軸の太陽歯車側端面とホルダープレートとの接触面にワッシャを配置した本発明の代表的な実施形態について、図面を参照しながら具体的に説明する。
【実施例１】
【００３５】
図１は、本発明に係るリダクション型アクスル装置の中央部分の断面図である。
同図に示すように、リダクション型アクスル装置１０は、車両のトランスミッション又はセンターデフから出力される推進軸を連接して減速小歯車１２に動力を伝達するカップリング１４と、減速小歯車１２と噛合して第１段目の減速を行うとともに動力の伝達方向を直交方向に変換する減速大歯車１６とを備えている。
【００３６】
またリダクション型アクスル装置１０は、減速大歯車１６を締結し第１段目の減速を行った後の回動運動を、左右に差動自在に振り分けて出力するデファレンシャルギヤユニット２０と、デファレンシャルギヤユニット２０を回動自在に軸支しながらスラスト方向及びラジアル方向に位置決め拘束する中央アクスルハウジング３４とを備えている。またリダクション型アクスル装置１０は、デファレンシャルギヤユニット２０から出力される動力を、左右一対の遊星歯車機構５０に伝達する左右一対の伝動軸３０と、遊星歯車機構５０において第２段目の減速を行った後の動力を、左右の車輪に伝達する左右一対のアクスル軸８０と、遊星歯車機構５０を所定の位置に固定するとともにアクスル軸８０を回動自在に軸支する左右一対のサイドアクスルハウジング３６とを備えている。
【００３７】
またリダクション型アクスル装置１０は、伝動軸３０と中央アクスルハウジング３４との間における摩擦力を調節することにより、車輪のブレーキとして機能する湿式多板型のブレーキユニット４０を備えている。なお、図１に示すリダクション型アクスル装置１０の構成は、減速大歯車１６の部分を除き左右対象の構成を有しているので、以降図１に示す右側の構成についてのみ説明し、左側の構成の説明は省略する。
【００３８】
デファレンシャルギヤユニット２０は、減速大歯車１６を締結するとともに動力をスパイダ２５に伝達する差動機ケース２２と、スパイダ２５に対して回動自在に軸支され、左右一対のサイドギヤ２６に動力を伝達する複数の差動ピニオン２４とを備えている。左右一対のサイドギヤ２６と左右一対の伝動軸３０とは、スプライン構造により遊嵌させることにより、サイドギヤ２６及び差動ピニオン２４に無理な力が加わらないように構成している。
【００３９】
更に、図１に示すデファレンシャルギヤユニット２０は、左右一対のサイドギヤ２６の軸部外周にそれぞれスプライン嵌合している複数のフリクションディスク２９と、差動機ケース２２の内周部分にスプライン嵌合させているフリクションプレート２８とを有している。
【００４０】
更にまた、デファレンシャルギヤユニット２０は、左右一対のサイドギヤ２６の速度差に応じて、複数枚のフリクションプレート２８及びフリクションディスク２９を差動機ケース２２の内側側壁に向かっての押し付け力を発生させる左右一対のカム板２７とを有し、湿式多板型の差動制限機構を備えている。
【００４１】
例えば、当該リダクション型アクスル装置１０のアクスル軸８０に締結された車輪のうち片輪が泥濘地に入って軽負荷となった場合であっても、差動制限機構が左右の車輪の回転差に応じたトルクを左右の車輪に配分することができる。これにより、軽負荷の側の車輪の空転を抑え、重負荷側の車輪に伝達した駆動力により車両の推進力を確保することができる。
【００４２】
上記に説明した通り、図１では、差動機ケース２２内に湿式多板型の差動制限機構を備えた実施形態を示したが、本発明は、上記の湿式多板型の差動制限機構を備えたデファレンシャルギヤユニットに限定するものではない。更に、差動制限機構を有しないオープンデフと呼ばれる通常のデファレンシャルギヤユニットに、本発明を適用することも可能である。
【００４３】
ブレーキユニット４０は、伝動軸３０の外周とスプライン嵌合して伝動軸３０と共に回動運動を行うフリクションプレート４４と、外周部分を中央アクスルハウジング３４の内壁にスプライン嵌合してフリクションプレート４４との間で摩擦力を発生できるフリクションディスク４６と、を備えている。
【００４４】
またブレーキユニット４０は、フリクションプレート４４とフリクションディスク４６とを共に押圧して、フリクションプレート４４とフリクションディスク４６との間に発生させる摩擦力を調節する油圧ピストン４２を備えている。油圧ピストン４２に印加する油圧を調節することにより、伝動軸３０と中央アクスルハウジング３４との間における摩擦力を調節して、ブレーキユニット４０を減速ブレーキとして作用させることができる。
【００４５】
遊星歯車機構５０は、伝動軸３０の端部外周に形成された太陽歯車５２と、外周をサイドアクスルハウジング３６に固定した外輪歯車５８と、外輪歯車５８及び太陽歯車５２と噛合することにより太陽歯車５２の周囲を自転しながら公転する３組の遊星歯車５４とを備えている。また、遊星歯車機構５０は、遊星歯車５４を自転自在に保持する３組の遊星軸５６と、３組の遊星軸５６を保持するとともに遊星歯車５４の公転運動を取り出すキャリア５７とを備えている。太陽歯車５２の回転を減速して公転するキャリア５７の回転は、アクスル軸８０に伝達されることになる。
【００４６】
キャリア５７からアクスル軸８０に動力を伝達する部分には、スプライン嵌合が用いられている。キャリア５７に形成した内周スプラインの開放側端面が、アクスル軸８０を軸支する円錐ころ軸受８２の内輪に当接した構成となっており、円錐ころ軸受８２に対して与圧をかけている。他方、キャリア５７に形成した内周スプラインの窪み側端面には、アクスル軸８０からキャリア５７が抜け出すのを防止するホルダープレート６０が当接している。ホルダープレート６０は、ホールドボルト９０により、アクスル軸８０の端面に装着されている。
【００４７】
このように、アクスル軸８０のスラスト方向の位置決めを、ホルダープレート６０、キャリア５７のスプライン部分の両端面、及び円錐ころ軸受８２の内輪を介して行っている。この構成によって、サイドアクスルハウジング３６を取り外した状態でホールドボルト９０を外すことで、アクスル軸８０の挿抜が可能となる。
【００４８】
なお、アクスル軸８０を挿抜する場合であっても、遊星歯車機構５０を分解する必要は無い。したがって、リダクション型アクスル装置１０としては、部品点数が少なくコンパクトでしかも組立整備性が良好な構造にすることができる。
【００４９】
また、図１に示すように、伝動軸３０に形成した太陽歯車５２の側端面と対峙する位置に、ホルダープレート６０の端面がくるように構成しておくことによって、伝動軸３０とアクスル軸８０との間隔を狭めることができ、リダクション型アクスル装置１０を更にコンパクトな構成にすることができる。
【００５０】
太陽歯車５２の側端面とホルダープレート６０の端面とを対峙させた位置に配置しておくと、ホールドボルト９０の頭部は、太陽歯車５２の側端面に対して異なる回転数で擦れ合うことになる。そこで図１に示すように、太陽歯車５２の側端面における軸芯部分に、ホールドボルト９０の頭部との干渉を避ける軸芯凹部３１を形成しておき、軸芯凹部３１によって伝動軸３０とホールドボルト９０とが直接接触しないように構成している。
【００５１】
一方、図１に示すように伝動軸３０は、直接スラスト方向に拘束されることなく、駆動力をデファレンシャルギヤユニット２０から遊星歯車機構５０に伝動させている。このため、太陽歯車５２の側端面とホルダープレート６０の端面とが接触して擦れ合う可能性がある。
特に、伝動軸３０の質量が大きく、伝達する駆動力が大きな場合であって、太陽歯車５２の側端面とホルダープレート６０とが接触する際には、慣性力によって接触時の衝撃力や擦れ合う際の摩擦力も大きくなってしまう可能性がある。
【００５２】
そこで本発明では、ホルダープレート６０の端面にプレート凹部６２を形成し、そのプレート凹部６２にスラスト滑り軸受として機能するワッシャ７０を遊嵌している。そして、太陽歯車５２の側端面とワッシャ７０との間で滑らかな滑り運動が行われるように構成している。
【００５３】
これによって、太陽歯車５２の側端面におけるかじりの防止や摩耗を減少させることができ、リダクション型アクスル装置１０の寿命を延ばしている。
なお、図１では説明の都合上、プレート凹部６２の深さを深く表記するとともに、ワッシャ７０の厚さを厚く表記してある（プレート凹部６２の深さと、ワッシャ７０の厚さとの関係については、図６及び図７を用いて後述する。）。
【００５４】
次に、図２〜図４を用いて、ホルダープレート６０の詳細形状と、ホールドボルト９０の詳細形状とについて説明する。図２は、ホルダープレート６０の側面の断面図であり、図３は、図２に示したホルダープレート６０のＩＩＩ矢視平面図である。また、図４は、プレート凹部６２に遊嵌したワッシャ７０の脱落を防止するフランジを備えたホールドボルト９０の側面図である。
【００５５】
図２及び図３に示すように、ホルダープレート６０の中央部には、ホールドボルト９０の軸部９３（図４参照。）を挿通するホールドボルト貫通孔６３が空けられている。ホルダープレート６０の端面におけるホールドボルト貫通孔６３の外周部には、ホールドボルト９０の当接座面９４（図４参照。）と当接してホールドボルト９０の軸力を受けるプレート座面６４が形成されている。プレート座面６４の外周部には、ワッシャ７０を遊嵌するための、プレート座面６４に対して所定の深さＨを有する平面視円環形状のプレート凹部６２が形成されている。
【００５６】
更に、ワッシャ７０が伝動軸３０に釣られて回動してしまうのを防止し、ワッシャ７０の裏面がホルダープレート６０との間で相対的に擦れ合うのを防止するため、プレート凹部６２の凹部外周６５には、ホルダープレート６０の中心に向かって開口した形状の係合凹部６６が設けられている。
【００５７】
なお、図２及び図３に示す実施形態では、係合凹部６６はキリ穴６７の内壁面を用いて、３箇所形成した例を示しているが、係合凹部６６の形成箇所は３箇所に限定されるものではなく、ワッシャ７０の回り止めを行うことができる構成であれば、適宜の箇所に形成しておくことができる。
このように、ホルダープレート６０の端面に形成したキリ穴６７の内壁面を、係合凹部６６として用いることによって、容易な加工でワッシャ７０の回り止め用の係止部をホルダープレート６０の端面に形成することができる。
【００５８】
一方、図４に示すようにホールドボルト９０は、アクスル軸８０の軸芯部分に形成した雌螺子と螺合する雄螺子部９２を形成した軸部９３と、締結用工具を嵌合させてホールドボルト９０の締結動作及び緩める動作を行うための頭部９１を備えている。また、ホールドボルト９０の座面には、ホルダープレート６０のプレート座面６４と当接してアクスル軸８０との間でホルダープレート６０を締結する当接座面９４を備えている。
【００５９】
また、図４に示すホールドボルト９０の座面には、当接座面９４とワッシャ抜け止め面９６との間に平行な段差ｈが形成されており、当接座面９４の外周径よりも大径なフランジ９５を有している。このフランジ９５の軸部９３側における面が、ワッシャ７０の脱落を防止するためのワッシャ抜け止め面９６として機能する。
【００６０】
ワッシャ抜け止め面９６は、ホールドボルト９０の当接座面９４よりも伝動軸３０側（軸部９３側。）に形成され、当接座面９４とワッシャ抜け止め面９６との間に段差ｈを形成している。なお、ホールドボルト９０の頭部９１の形状は、図４に示した六角形状に限定するものではなく、六角穴付、又はその他の形状を用いることができる。
【００６１】
次に、プレート凹部６２に遊嵌させるワッシャ７０の平面形状について、図５を用いて説明する。
図５は、所定の肉厚を有するワッシャ７０を滑り面側から見た平面図である。同図に示すように、ワッシャ７０の中央部には、ホルダープレート６０のプレート座面６４を挿通させるプレート座面挿通孔７４が開口している。このプレート座面挿通孔７４は、ホールドボルト９０のワッシャ抜け止め面９６と当接させるため、プレート座面６４よりも大径であってワッシャ抜け止め面９６の外径よりも小径とした孔として形成されている。
【００６２】
また、ワッシャ７０の外縁部分には、プレート凹部６２の凹部外周６５よりも小径の外周部７５が形成されており、外周部７５の一部には、ホルダープレート６０の係合凹部６６と係合する回り止め用係止片７６を凸形状に３箇所形成している。回り止め用係止片７６を、ワッシャ７０の最も外周の外周部７５に形成しておくことにより、回転のモーメント等の作用によって回り止め用係止片７６に加わる力を減少させておくことができる。
【００６３】
なお、図２、図３、図５に示す実施形態では、ホルダープレート６０の係合凹部６６と回り止め用係止片７６とを係合させることにより、ホルダープレート６０に対するワッシャ７０の回り止め構造を形成している。しかし、ワッシャ７０の回り止め構造としては図示例の構成に限定されるものではなく、他の回り止め構造を用いることもできる。
【００６４】
例えば、ホルダープレートのプレート凹部からノックピン又はスプリングピンを立設させておき、ワッシャに形成した回り止め用孔と立設させたノックピン等とを係合させたワッシャの回り止め構造を構成することもできる。
【００６５】
また、ワッシャ７０における外周部７５の一部には、遊星歯車機構５０の停止時に遊星歯車５４における歯との干渉を避けて、ワッシャ７０をプレート凹部６２内に容易に着脱させるため、逃げ部７７が３箇所形成されている。なお、図５に示す実施形態では、逃げ部７７を直線形状に形成してあるが、遊星歯車５４の外周に沿った円弧形状に形成することもできる。
【００６６】
この逃げ部７７における最小半径ｒ（図５参照。）を、伝動軸３０の太陽歯車５２における側端面３２の外縁半径Ｒ（図６参照。）よりも大きく設定しておくことによって、ワッシャ７０に加わる面圧（Ｐ）を小さくすることができる。
【００６７】
一般に太陽歯車５２を形成する伝動軸３０はクロムモリブデン鋼等の焼き入れ用の素材を用いることが多いので、ワッシャ７０の滑り面７２における材質としては、伝動軸３０の素材とは異なる銅系の軸受材料を用いることが好ましい。ワッシャ７０における滑り面７２の素材としては、例えば鉛青銅系、銅鉛系、リン青銅系、黄銅系の材質を用いることができる。
【００６８】
また、太陽歯車５２の側端面との間に印加される面圧（Ｐ）や相対速度（Ｖ）に応じて、ホワイトメタル系、アルミ系、鉄系、その他の材質を用いることもできる。更には、固体潤滑材を併用することもできる。また、図５に示すように、滑り面７２の表面に複数のディンプル７３を形成して潤滑油の貯留や異物の排除を行うとともに、粘性に伴って発生する摩擦力を低減することもできる。
【００６９】
図５に示すように、ワッシャ７０の外周部７５に形成した回り止め用係止片７６を用いて、ワッシャ７０の回転を制限する場合には、ワッシャ７０の裏面とホルダープレート６０のプレート凹部６２の底面との間において大きな摺動は行われない。したがって、この場合には、ワッシャ７０の裏面に滑り面７２を設けておく必要は無く、裏面をＳＰＣＣ等の圧延材を用いたリテーナ面として構成しておくことができる。
【００７０】
そして、軸受材料を滑り面７２にのみ焼き付けておくことができる。ワッシャ７０の裏面をＳＰＣＣ等のリテーナ面で構成した場合には、ワッシャ７０をパンチで打ち抜いて成形することが可能となり、回り止め用係止片７６を備えた複雑な形状であっても、容易に成形することができる。
【００７１】
次に、アクスル軸８０と、ホルダープレート６０と、ワッシャ７０とを組み付け、伝動軸３０を所定の位置に配置した状態について、図６の側面断面図を用いて説明する。
図６に示すように、アクスル軸８０の端面に軸芯を合わせた状態でホルダープレート６０を当接させ、プレート凹部６２内にワッシャ７０を嵌入する。その後、ホールドボルト９０をホールドボルト貫通孔６３に挿通して、ホールドボルト９０を締め付ける。これにより、プレート座面６４が当接座面９４によってアクスル軸８０側に押し付けられ、ホルダープレート６０をアクスル軸８０の端面に締結することができる。
【００７２】
ワッシャ７０におけるプレート座面挿通孔７４の内径としては、プレート座面６４及び当接座面９４よりも大径に形成し、ワッシャ抜け止め面９６及びフランジ９５の外径よりも小径に形成してある。これによって、ホールドボルト９０のフランジ９５を用いて、プレート凹部６２からワッシャ７０の脱落を防止している。
【００７３】
このとき、プレート座面６４に対するプレート凹部６２の深さＨと、当接座面９４とワッシャ抜け止め面９６との間に形成した段差ｈとの和の値よりも、ワッシャ７０の厚さｔを、０．２ｍｍ〜０．８ｍｍ程度薄く形成しておくことが望ましい（すなわち、０．２ｍｍ≦Ｈ＋ｈ−ｔ≦０．８ｍｍとしておくとよい。）。これにより、アクスル軸８０にホルダープレート６０を強固に締結しながら、ワッシャ７０をスラスト方向に遊嵌した状態で保持できる。なお、上記の深さＨと、段差ｈと、ワッシャ７０の厚さｔとの関係は、上記の数値範囲に限定するものではなく、車両の機種、用途、又は仕様により、他の数値範囲を用いることができる。
【００７４】
伝動軸３０の太陽歯車側端面３２は、直接ワッシャ７０の滑り面７２と接触する面であり、この部分の表面粗さが粗い場合にはワッシャ７０の滑り面７２を削り取ることになる。したがって、太陽歯車側端面３２の表面粗さは６．３Ｓ〜１２．５Ｓ（１．６Ｒａ〜３．２Ｒａ）に仕上げておくことが好ましい。また、量産品の加工条件として許される場合には、表面粗さを２Ｓ（０．４Ｒａ）以下にするとよい。
【００７５】
なお、上述した深さＨの寸法、段差ｈの寸法、ワッシャ７０の厚さ、表面粗さ等で用いた数値及び以下の他の実施例における説明で用いている数値は、例示として挙げているものであってこれらの数値に限定されるものではない。しかもこれらの値は、車両の機種、用途、又は仕様に応じて、それぞれ最適な数値を用いることができる。
【実施例２】
【００７６】
次に、ホルダープレート及びホールドボルトに関する他の実施形態を図７に示す。
図７は、図４に示したホールドボルト９０の座面における当接座面９４とワッシャ抜け止め面９６との間の段差ｈ（図４参照。）を無くし、代わりに図２に示したプレート座面６４に対するプレート凹部６２の所定の深さＨのみを、ワッシャ７０の厚さｔよりも、例えば、０．２ｍｍ〜０．８ｍｍ程度深い寸法Ｈ'に設定した実施形態を示している。なお、図６に示した部品と同一の部品については同一の符号を付して、その説明は省略する。
【００７７】
実施例２では、ホールドボルト９０の座面における当接座面９４とワッシャ抜け止め面９６とが同一面上に形成されていることになる。図７に示すように、アクスル軸８０の端面に軸芯を合わせた状態でホルダープレート１６０を当接させ、プレート凹部１６２にワッシャ７０を挿入する。ワッシャ７０を挿入した後、ホールドボルト１９０をホールドボルト貫通孔６３に挿通して、ホールドボルト１９０を締め付ける。これにより、当接座面９４でプレート座面６４をアクスル軸８０側に押し付けることができ、ホルダープレート１６０をアクスル軸８０の端面に締結することができる。
【００７８】
ワッシャ７０のプレート座面挿通孔７４における内径としては、プレート座面６４よりも大径に形成し、ワッシャ抜け止め面９６を有するフランジ９５の外径よりも小径に形成している。これによって、ホールドボルト１９０のフランジ９５を用いて、プレート凹部１６２からワッシャ７０が脱落するのを防止できる。
【００７９】
このとき、プレート座面６４に対するプレート凹部６２の所定の深さＨ'よりも、ワッシャ７０の厚さｔを、０．２ｍｍ〜０．８ｍｍ程度薄く形成しておくことが望ましい（すなわち、０．２ｍｍ≦Ｈ'−ｔ≦０．８ｍｍとしておくとよい。）。これにより、アクスル軸８０にホルダープレート１６０を強固に締結しながら、プレート凹部１６２からワッシャ７０が脱落することを防止することができ、ワッシャを遊嵌させた状態で保持できる。
【実施例３】
【００８０】
次に、ホルダープレートとホールドボルトとの間に、ワッシャ抜け止め面を有する座金を配置した実施形態を図８に示す。なお、図７に示した部品と同一の部品については同一の符号を付して、その説明は省略する。
図８に示す実施例３では、ホルダープレート１６０とホールドボルト２９０との間に、プレート座面６４よりも大径のワッシャ抜け止め面９６を有する座金２９５を配置している。座金２９５における当接座面２９４、及びワッシャ抜け止め面９６は、同一面上の座面に形成されている。
【００８１】
組立に際しては、図８に示すように、アクスル軸８０の端面に軸芯を合わせた状態でホルダープレート１６０を当接させ、プレート凹部１６２にワッシャ７０を挿入する。ワッシャ７０を挿入した後、ホールドボルト２９０に座金２９５を挿入して、ホールドボルト２９０をホールドボルト貫通孔６３に挿通し、ホールドボルト２９０を締め付ける。これにより、ホールドボルト２９０の軸力が、当接座面２９４を介してプレート座面６４に伝わり、ホールドボルト２９０により座金２９５及びホルダープレート１６０が共締めされる。そして、ホルダープレート１６０をアクスル軸８０の端面に締結することができる。
【００８２】
実施例３においても、実施例２の場合と同様に、プレート座面６４に対するプレート凹部１６２の所定の深さＨ’を、ワッシャ７０の厚さｔよりも、０．２ｍｍ〜０．８ｍｍ程度深い寸法に設定するとよい。これにより、アクスル軸８０にホルダープレート１６０を強固に締結しながら、プレート凹部１６２からワッシャ７０が脱落することを防止することができ、ワッシャを遊嵌させた状態で保持できる。なお、座金２９５の座面における当接座面２９４とワッシャ抜け止め面９６との間に、段差を設けることもできる。
【図面の簡単な説明】
【００８３】
【図１】本発明に係るリダクション型アクスル装置の中央部分の断面図である。
【図２】ホルダープレートの側面の断面図である。
【図３】図２に示したホルダープレートのＩＩＩ矢視平面図である。
【図４】ワッシャの脱落を防止するフランジを備えたホールドボルトの側面図である。
【図５】ワッシャを滑り面側から見た平面図である。
【図６】アクスル軸とホルダープレートとワッシャとを組み立てた状態を示す側面断面図である。
【図７】ホルダープレート及びホールドボルトに関する他の実施形態を示す側面断面図である。
【図８】ホルダープレートとホールドボルトとの間に座金を配置した実施形態を示す側面断面図である。
【符号の説明】
【００８４】
１０・・・リダクション型アクスル装置、２０・・・デファレンシャルギヤユニット、３０・・・伝動軸、３１・・・軸芯凹部、３２・・・太陽歯車側端面、４０・・・ブレーキユニット、５０・・・遊星歯車機構、５２・・・太陽歯車、５４・・・遊星歯車、５６・・・遊星軸、５７・・・キャリア、５８・・・外輪歯車、６０、１６０・・・ホルダープレート、６２・・・プレート凹部、６３・・・ホールドボルト貫通孔、６４・・・プレート座面、６５・・・凹部外周、６６・・・係合凹部、６７・・・キリ穴、７０・・・ワッシャ、７２・・・滑り面、７３・・・ディンプル、７４・・・プレート座面挿通孔、７５・・・外周部、７６・・・回り止め用係止片、７７・・・逃げ部、８０・・・アクスル軸、９０、１９０、２９０・・・ホールドボルト、９１・・・頭部、９２・・・雄螺子部、９３・・・軸部、９４・・・当接座面、９５・・・フランジ、９６・・・ワッシャ抜け止め面、２９４・・・当接座面、２９５・・・座金。
【図１】
2008247055.tif 000003
【図２】
2008247055.tif 000004
【図３】
2008247055.tif 000005
【図４】
2008247055.tif 000006
【図５】
2008247055.tif 000007
【図６】
2008247055.tif 000008
【図７】
2008247055.tif 000009
【図８】
2008247055.tif 000010